(57)【要約】【課題】小型軽量で遺影を均一に照明して表示することができる遺影表示装置を提供する。【解決手段】遺影表示装置１は、所定の電流電圧を供給することにより均一に面発光する平面状の発光面を有した面発光部２０と、その面発光部２０の発光面２１ａに重ね合わせて配置され面発光による光を透過可能でかつ故人の遺影１２が表示された透過フィルム部１０とを有する。これにより、所定の電流電圧を供給して面発光部２０の発光面２１ａを発光させて、その光を透過フィルム部１０に透過させることができ、透過フィルム部１０に表示されている故人の遺影１２を均一に照明することができる。【選択図】  図１
0003111315.tif 000002
【実用新案登録請求の範囲】
【請求項１】
所定の電流電圧を供給することにより均一に面発光する平面状の発光面を有した面発光部と、
該面発光部の発光面に重ね合わせて配置され面発光による光を透過可能でかつ故人の遺影が表示された透過フィルム部と、を有することを特徴とする遺影表示装置。
【請求項２】
前記面発光部は、ＥＬ素子により形成された可撓性面発光シートであることを特徴とする請求項１に記載の遺影表示装置。
【請求項３】
前記面発光部と前記透過フィルム部とは別体に形成されており、
前記透過フィルム部を前記面発光部の発光面に重ね合わせた状態で保持する保持枠体部を有することを特徴とする請求項１または２に記載の遺影表示装置。
【請求項４】
前記面発光部と前記透過フィルム部が粘着テープにより互いに貼着されていることを特徴とする請求項３に記載の遺影表示装置。
【請求項５】
前記面発光部に所定の電流電圧を供給する電源装置を有し、
該電源装置を前記保持枠体に取り付けたことを特徴とする請求項１〜４のいずれか１項に記載の遺影表示装置。
【請求項６】
前記面発光部と前記透過フィルム部とは一体に形成されており、
前記透過フィルム部に故人の遺影が印刷されて表示されていることを特徴とする請求項１または２に記載の遺影表示装置。
【考案の詳細な説明】
【技術分野】
【０００１】
本発明は、故人の遺影を表示する遺影表示装置に関し、特に遺影を照明して表示する遺影表示装置に関する。
【背景技術】
【０００２】
故人の遺影は、額に入れて祭壇の上などに配置され、室内灯や額専用に設けられた照明灯等によって照らされるのが一般的である。また、例えば額縁フレームの開口部に沿って複数の発光体を設けて、その発光体により額縁内の遺影を照らす額縁等の技術が従来より種々提案されている（特許文献１を参照）。
【特許文献１】特開平９−２９９２０６号公報
【考案の開示】
【考案が解決しようとする課題】
【０００３】
しかしながら、遺影の設置位置によっては室内灯の光が十分に届かず、遺影を適切に照らすことができないという問題がある。また、専用の照明灯を設置して照らす作業は煩雑であり、コストがかかるという問題がある。更に、上記公報に示される技術のように複数の発光体によって遺影を照らす場合は、発光体の位置によって遺影に明るい部分と暗い部分が発生し、遺影全体を均一に照明することが困難である。また、発光体を保持するスペースを額縁フレーム内に確保しなければならず、全体が大型化して設置場所が限られたり、重量の増大により持ち運びが不便となる等の問題を有している。
【０００４】
本考案は、これらの問題に鑑み、従来技術の課題を解決すべくなされたものであり、その目的は、小型軽量で、遺影を均一に照明して表示することができる遺影表示装置を提供することにある。
【課題を解決するための手段】
【０００５】
上記課題を解決する請求項１に記載の考案による遺影表示装置は、所定の電流電圧を供給することにより均一に面発光する平面状の発光面を有した面発光部と、その面発光部の発光面に重ね合わせて配置され面発光による光を透過可能でかつ故人の遺影が表示された透過フィルム部と、を有することを特徴とする。
【０００６】
請求項２に記載の考案は、請求項１に記載の遺影表示装置において、面発光部は、ＥＬ素子により形成された可撓性面発光シートであることを特徴とする。
【０００７】
請求項３に記載の考案は、請求項１または２に記載の遺影表示装置において、面発光部と透過フィルム部とは別体に形成されており、透過フィルム部を面発光部の発光面に重ね合わせた状態で保持する保持枠体部を有することを特徴とする。
【０００８】
請求項４に記載の考案は、請求項３に記載の遺影表示装置において、面発光部と前記透過フィルム部が粘着テープにより互いに貼着されていることを特徴とする。
【０００９】
請求項５に記載の考案は、請求項１〜４のいずれか１項に記載の遺影表示装置において、面発光部に所定の電流電圧を供給する電源装置を有し、電源装置を保持枠体に取り付けたことを特徴とする。
【００１０】
請求項６に記載の考案は、請求項１または２に記載の遺影表示装置において、面発光部と前記透過フィルム部とは一体に形成されており、前記透過フィルム部に故人の遺影が印刷されて表示されていることを特徴とする遺影表示装置。
【考案の効果】
【００１１】
請求項１に記載の考案によれば、所定の電流電圧を供給することにより面発光部の発光面を発光させて、その光を透過フィルムに透過させることができる。従って、透過フィルムに表示されている故人の遺影を均一に照明することができる。
【００１２】
請求項２に記載の考案は、請求項１に記載した面発光部の構成を具体的に示したものであり、これによれば、ＥＬ素子により形成された可撓性面発光シートを使用しているので、面発光部を軽量薄型にすることができる。また、遺影は、絵画や風景写真等と同様に照明すればよいというものではなく、厳粛さを保ちつつ、ある程度目立ちながらも目立ちすぎないことが要求されるものであり、その点で、ＥＬ素子を用いた可撓性面発光シートの光は、電球や蛍光灯等と比較して上品な光を発することができ、遺影の照明に最適である。
【００１３】
請求項３に記載の考案によれば、遺影表示装置は、面発光部と透過フィルム部とが別体に形成されているので、透過フィルム部を取り替えることができ、種々の遺影を表示させることができる。また、透過フィルム部を面発光部の発光面に重ね合わせた状態で保持する保持枠体部を有しているので、透過フィルム部と面発光部とを一体に重ね合わせた状態で容易に可搬できる。
【００１４】
請求項４に記載の考案によれば、面発光部と透過フィルム部は互いに粘着テープによって貼着されているので、保持枠体内で面発光部と透過フィルム部との位置がずれるのを防ぐことができる。また、粘着テープをはがすことによって面発光部から透過フィルム部を容易に取り外すことができ、透過フィルム部を交換することができる。
【００１５】
請求項５に記載の考案によれば、面発光部に所定の電流電圧を供給する電源装置を保持枠体に取り付けたので、電源コンセントの位置や電源コードの長さ等に影響を受けることなく、所望の位置に配置でき、かかる位置で透過フィルム部に表示されている遺影を照明することができる。
【００１６】
請求項６に記載の考案によれば、面発光部と透過フィルム部とが一体に形成されており、透過フィルム部に故人の遺影が印刷されているので、面発光部と透過フィルム部との位置がずれることはない。
【００１７】
また、面発光部と一体に形成されているので、透過フィルム部が単体で置かれて周囲の景色と一体化して見えにくくなることはなく、透過フィルム部の紛失を防止できる。尚、透明フィルム部への印刷は、パソコンなどに接続される汎用プリンタによって行う。
【考案を実施するための最良の形態】
【００１８】
次に、本考案の実施の形態について図に基づいて説明する。
【００１９】
図１は、本実施の形態における遺影表示装置の全体構成を説明する分解斜視図、図２は、その要部断面を拡大して示す図である。
【００２０】
遺影表示装置１は、図１に示すように、透過フィルム部１０と面発光部２０を備えている。透過フィルム部１０は、可撓性の透明シート１１により構成されており、その表面には、故人の遺影１２が印刷されている。遺影１２は、デジタルカメラなどの撮影機器で撮影したデジタルデータを基にして、パーソナルコンピュータなどの画像編集手段で背景を消すなどの画像処理を行ったものが汎用プリンタ等を使用して印刷されている。
【００２１】
面発光部２０は、ＥＬ素子により形成された薄型の可撓性面発光シート２１と、その可撓性面発光シート２１に電源を供給する電源装置２２を有している。可撓性面発光シート２１は、図１に示すように、透過フィルム部１０とほぼ同一の大きさの矩形状を有しており、所定の電流電圧を供給することによって、発光面２１ａ全体が均一に発光するように構成されている。
【００２２】
電源装置２２は、充電式或いは交換式のバッテリーと、そのバッテリの電圧を可撓性面発光シート２１の発光面２１ａが発光する電圧まで昇圧する昇圧回路を備えている。本実施の形態では、長方体状のブロック形状を有するケース２３内に収納されている。尚、電源装置２２は、バッテリを使用する場合に限定されるものではなく、電源ケーブルを介してコンセントなどの家庭用電源から１００ボルトの交流電圧を供給して可撓性面発光シート２１の発光面２１ａを発光させる構成としてもよい。
【００２３】
そして、遺影表示装置１は、上記構成を有する透過フィルム部１０と面発光部２０を保持する保持枠体部３０を備えている。保持枠体部３０は、矩形状の枠体３１と、その枠体３１の背面に取り付けられる背板３６によって構成されている。
【００２４】
枠体３１は、図２に示すように断面が略Ｌ字状の棒状部材を枠状に組み立てたものであり、その中央には矩形状の開口窓３２が形成されている。そして、開口窓３２の表面側には、開口窓３２の内周面に沿って凹溝３２ａが凹設され、ガラスやアクリルなどにより構成された透明板３３がはめ込まれて取り付けられている。
【００２５】
そして、開口窓３２の背面側には、開口窓３２の外周端縁に沿って凹部３２ｂが形成され、マット３４と背板３６が互いに重なり合った状態ではめ込まれて取り付けられている。
【００２６】
マット３４は、開口窓３２よりも若干大きい矩形状を有しており、その中央部分には透過フィルム部１０の透明シート１１よりも若干小さい開口部３４ａが形成されている。背板３６は、マット３４とほぼ同一の大きさを有しており、その表面には、開口窓３２の位置に発光面２１ａが配置されるように可撓性面発光シート２１が取り付けられている。可撓性面発光シート２１の発光面２１ａには、枠体３１の開口窓３２を介して透過フィルム部１０の遺影１２が表示されるように透明シート１１が重ね合わされ、粘着テープなどによって面発光部２０と一体に固定されている。
【００２７】
可撓性面発光シート２１の下部には、可撓性面発光シート２１に電源を供給するための配線コードが接続されている。配線コードは、図２に示すように背板３６に沿って下方に向かって配線され、枠体３１の内部に収容された電源装置２２に接続されている。
【００２８】
上記構成を有する遺影表示装置１によれば、電源装置２２から配線コード２４を介して所定の電流電圧を可撓性面発光シート２１に供給し、可撓性面発光シート２１の発光面２１ａを全面に亘って均一に発光させ、透過フィルム部１０の透明シート１１を透過させて、透明シート１１に表示されている遺影１２を均一に照明することができる。従って、お通夜や葬式などの照明が暗い室内に遺影１２が飾られた場合であっても、その存在をはっきりと確認することができる。
【００２９】
また、本実施の形態では、ＥＬ素子により形成された薄型の可撓性面発光シート２１を面発光部２０に使用しているので、面発光部２０を小型軽量に構成することができ、電球のように発熱を伴うこともない。したがって、照明させた状態で持ち運ぶことも可能である。
【００３０】
また、遺影１２は、絵画や風景写真等と同様に単に明るく照らせばよいというものではなく、厳粛さを保ちつつ、ある程度目立ちながらも目立ちすぎないことが要求されるものであり、その点で、ＥＬ素子により形成された可撓性面発光シート２１は、電球や蛍光灯等と比較して神秘的で上品な光を発生させることができ、遺影１２の照明に最適である。
【００３１】
また、面発光部２０の可撓性面発光シート２１と透過フィルム部１０の透明シート１１とが別体に形成されており、粘着テープ等によって互いに一体に背板３６に取り付けられているので、使用中に透明シート１１の位置がずれるのを防ぐと共に、透明シート１１の交換を容易なものとし、種々の遺影１２を表示させるなどの使い回しができる。
【００３２】
そして、透過フィルム部１０と面発光部２０を保持枠体部３０に保持させているので、遺影表示装置１の可搬性を向上せしめ、種々の位置への配置を可能とすることができる。特に、本実施の形態では、電源装置２２を枠体３１の内部に収容しているので、家庭用電源コンセントの位置や電源コードの長さに限定されることなく、所望の位置に遺影表示装置１を配置でき、かかる位置で遺影１２を照明することができる。
【００３３】
尚、本考案は、上述の実施の形態に限定されるものではなく、本考案の趣旨を逸脱しない範囲で種々の変更が可能である。例えば、上述の実施の形態では、透過フィルム部１０の透明シート１１と面発光部２０の可撓性面発光シート２１とが別体に構成されている場合を例に説明したが、透明シート１１と可撓性面発光シート２１とが一体に形成されていてもよい。かかる場合、パソコン等に接続される汎用プリンタ等を使用して、透明シート１１に遺影１２を直接印刷することができる。また、透明シート１１が単体で置かれることはなく、周囲の景色と一体化して見えにくくなって紛失するのを防止できる。
【図面の簡単な説明】
【００３４】
【図１】本実施の形態における遺影表示装置の全体構成を説明する分解斜視図である。
【図２】遺影表示装置の要部断面を拡大して示す図である。
【符号の説明】
【００３５】
１  遺影表示装置
１０  透過フィルム部
１１  透明シート
１２  遺影
２０  面発光部
２１  可撓性面発光シート
２１ａ  発光面
２２  電源装置
３０  保持枠体部
３１  枠体
【図１】
0003111315.tif 000003
【図２】
0003111315.tif 000004